(57)【特許請求の範囲】
【請求項１】
体毛処理用のヘッド部およびグリップ部を有する体毛処理装置と、上記体毛処理装置のグリップ部を所定姿勢で保持しながらヘッド部の洗浄処理および乾燥処理の少なくとも一方を行うとともに通電を行う保持装置と、から成る給電システムにおいて、上記体毛処理装置の重量を受けて支持するように上記保持装置に設けた重量支持面に、上記体毛処理装置のグリップ部に設けた体毛処理装置側端子と接触して給電を行う保持装置側端子を配置したことを特徴とする給電システム。
【請求項２】
上記保持装置に、体毛処理装置側端子と保持装置側端子が接触するように体毛処理装置を保持装置に対して位置決めするガイド部を設けたことを特徴とする請求項１に記載の給電システム。
【請求項３】
上記保持装置側端子を、上記体毛処理装置のヘッド部の洗浄処理および乾燥処理の少なくとも一方を行うために保持装置に設けた皿状の処理槽内に配置したことを特徴とする請求項１又は２に記載の給電システム。
【請求項４】
上記保持装置に、体毛処理装置側端子と保持装置側端子の接触部分周辺を防水する防水構造を設けたことを特徴とする請求項３に記載の給電システム。
【請求項５】
上記体毛処理装置側端子を、上記体毛処理装置のグリップ部の肩部分におけるヘッド部側を向く面上に配置したことを特徴とする請求項１〜４のいずれか一項に記載の給電システム。
【請求項６】
上記体毛処理装置のヘッド部をグリップ部に対して首振り自在に接続させ、上記体毛処理装置側端子をグリップ部のヘッド部に隠れる位置に配するとともに、上記保持装置には、ヘッド部に当たることで上記体毛処理装置側端子を露出させるように該ヘッド部を首振りさせる当接部を設けたことを特徴とする請求項１〜４のいずれか一項に記載の給電システム。
【発明の詳細な説明】
【技術分野】
【０００１】
本発明は、体毛処理装置を保持しながら給電を行うことのできる給電システムに関する。
【背景技術】
【０００２】
従来から、電気かみそり等の体毛処理装置をヘッド部が下になる姿勢で保持し、この保持姿勢にある体毛処理装置のヘッド部に対して洗浄処理や乾燥処理を行うことのできる保持装置が知られている。更に、上記保持装置においては、洗浄処理や乾燥処理と同時に、体毛処理装置に対して給電を行うことが可能になっている。
【０００３】
特許文献１には、上記のような体毛処理装置と保持装置とから成る給電システムが開示されている。この給電システムでは、給電時の端子間の接触圧を確保するために、保持装置側の端子を突出方向に付勢するためのバネ部材を配置している。しかし、上記バネ部材のように接触圧確保のための特別な構造を設けた場合には、装置全体の大型化を招くという問題がある。また、保持装置側の端子がバネ部材により大きく突出された状態になるため、体毛処理装置を所定姿勢にセットする際や取り外そうとする際に上記端子が邪魔になり、上記端子が体毛処理装置のヘッド部に当たって破損等するおそれがあるといった問題もある。
【特許文献１】特表２００６−５２２６２５号公報
【発明の開示】
【発明が解決しようとする課題】
【０００４】
本発明は上記問題点に鑑みて発明したものであって、端子同士の接触圧を確保するための特別な構造を設けずとも、体毛処理装置自体の重量によって接触圧を確保することができ、しかも、体毛処理装置をセット又は取り外す際に保持装置の端子が邪魔になることがないように設けた給電システムを提供することを課題とするものである。
【課題を解決するための手段】
【０００５】
上記課題を解決するために本発明を、体毛処理用のヘッド部１およびグリップ部２を有する体毛処理装置３と、上記体毛処理装置３のグリップ部２を所定姿勢で保持しながらヘッド部１の洗浄処理および乾燥処理の少なくとも一方を行うとともに通電を行う保持装置４と、から成る給電システムにおいて、上記体毛処理装置３の重量を受けて支持するように上記保持装置４に設けた重量支持面２３に、上記体毛処理装置３のグリップ部２に設けた体毛処理装置側端子２５と接触して給電を行う保持装置側端子２６を配置したものとする。
【０００６】
このようにすることで、体毛処理装置側端子２５と保持装置側端子２６の接触圧を確保するために特別な構造を設けずとも、体毛処理装置３自体の重量によって接触圧を確保することができる。また、保持装置側端子２６を大きく突出させる必要もないので、体毛処理装置３を保持装置４にセット又は取り外す際に、保持装置側端子２６が邪魔になってヘッド部１の破損等を生じることも防止される。
【０００７】
上記構成の給電システムにおいては、上記保持装置４に、体毛処理装置側端子２５と保持装置側端子２６が接触するように体毛処理装置３を保持装置４に対して位置決めするガイド部２８を設けることが好適である。このようにすることで、体毛処理装置側端子２５と保持装置側端子２６を確実に接触させるとともに、ガイド部２８を保持装置側端子２６の近傍に設けた場合には、保持装置側端子２６が体毛処理装置３のヘッド部１等に当たって破損を生じることも防止される
また、上記保持装置側端子２６を、上記体毛処理装置３のヘッド部１の洗浄処理および乾燥処理の少なくとも一方を行うために保持装置４に設けた皿状の処理槽５内に配置することも好適である。このようにすることで、保持装置４全体をコンパクト化することができる。
【０００８】
このとき、上記保持装置４に、体毛処理装置側端子２５と保持装置側端子２６の接触部分周辺を防水する防水構造３５を設けることが好適である。このようにすることで、端子２５，２６の腐食を防止することができる。
【０００９】
また、上記体毛処理装置側端子２５を、上記体毛処理装置３のグリップ部２の肩部分４０におけるヘッド部１側を向く面４０ａ上に配置することも好適である。このようにすることで、グリップ部２を把持したときに体毛処理装置側端子２５が手に当たることなく違和感を防止することができる。また、体毛処理装置側端子２５に汗等が付着して腐食等することを防止することができる。
【００１０】
また、上記体毛処理装置３のヘッド部１をグリップ部２に対して首振り自在に接続させ、上記体毛処理装置側端子２５をグリップ部２のヘッド部１に隠れる位置に配するとともに、上記保持装置４には、ヘッド部１に当たることで上記体毛処理装置側端子２５を露出させるように該ヘッド部１を首振りさせる当接部４６を設けることも好適である。このようにすることで、体毛処理装置３を用いて通常の体毛処理作業を行う際には、処理後の体毛や皮脂等が体毛処理装置側端子２５に付着して腐食等することを防止することができる。また、使用者がグリップ部２を把持したときに体毛処理装置側端子２５が手に当たって違和感を覚えることも防止される。
【発明の効果】
【００１１】
請求項１に係る発明は、体毛処理装置の重量を受けて支持するように保持装置に設けた重量支持面に、上記体毛処理装置のグリップ部に設けた体毛処理装置側端子と接触して給電を行う保持装置側端子を配置したことで、端子同士の接触圧を確保するための特別な構造を設けずとも、体毛処理装置自体の重量によって接触圧を確保することができ、しかも、体毛処理装置をセット又は取り外す際に保持装置の端子が邪魔になることも防止されるという効果を奏する。
【００１２】
また請求項２に係る発明は、保持装置に、体毛処理装置側端子と保持装置側端子が接触するように体毛処理装置を保持装置に対して位置決めするガイド部を設けたことで、請求項１に係る発明の効果に加えて、体毛処理装置側端子と保持装置側端子を確実に接触させることができるという効果や、ガイド部を保持装置側端子の近傍に設けた場合には、保持装置側端子が体毛処理装置のヘッド部等に当たって破損を生じることも防止することができるという効果を奏する。
【００１３】
また請求項３に係る発明は、保持装置側端子を、上記体毛処理装置のヘッド部の洗浄処理および乾燥処理の少なくとも一方を行うために保持装置に設けた皿状の処理槽内に配置したことで、請求項１又は２に係る発明の効果に加えて、保持装置全体をコンパクト化することができるという効果を奏する。
【００１４】
また請求項４に係る発明は、保持装置に、体毛処理装置側端子と保持装置側端子の接触部分周辺を防水する防水構造を設けたことで、請求項３に係る発明の効果に加えて、端子の腐食を防止することができるという効果を奏する。
【００１５】
また請求項５に係る発明は、体毛処理装置側端子を、体毛処理装置のグリップ部の肩部分におけるヘッド部側を向く面上に配置したことで、請求項１〜４のいずれか一項に係る発明の効果に加えて、グリップ部を把持したときの違和感を防止することができ、また、体毛処理装置側端子に汗等が付着して腐食等することを防止することができるという効果を奏する。
【００１６】
また請求項６に係る発明は、体毛処理装置のヘッド部をグリップ部に対して首振り自在に接続させ、体毛処理装置側端子をグリップ部のヘッド部に隠れる位置に配するとともに、保持装置には、ヘッド部に当たることで上記体毛処理装置側端子を露出させるように該ヘッド部を首振りさせる当接部を設けたことで、請求項１〜４のいずれか一項に係る発明の効果に加えて、処理後の体毛や皮脂等が体毛処理装置側端子に付着して腐食等することを防止することができ、また、グリップ部を把持したときに違和感を覚えることも防止されるという効果を奏する。
【発明を実施するための最良の形態】
【００１７】
以下、本発明を添付図面に示す実施形態に基づいて説明する。図１には、本発明の実施形態における第１例の給電システムを概略的に示している。
【００１８】
本例の給電システムは、体毛処理用のヘッド部１および該ヘッド部１を一端側に支持するグリップ部２から成る体毛処理装置３と、この体毛処理装置３をヘッド部１がグリップ部２の下側に位置する所定姿勢で保持しながら給電を行う保持装置４とで形成される。
【００１９】
本例の体毛処理装置３は電気かみそりであり、ヘッド部１には、外刃１０および該外刃１０の内面に摺動する内刃１１から成る刃部１２と、内刃１１を摺動させるモータ１３とを設けている。また、グリップ部２には、電池部１４と、電池部１４やモータ１３に接続される制御部１５とを設けている。なお、体毛処理装置３は上記構成の電気かみそりに限定されず、体毛の切断処理または脱毛処理を行うヘッド部１を備えたものであれば他の構成であってもよい。
【００２０】
上記保持装置４には皿状の処理槽５を設けており、体毛処理装置３を上記所定姿勢に保持したときに、ヘッド部１が処理槽５内に位置するように設けている。また、保持装置４には、洗浄液Ｌを処理槽５内に循環させるための循環ポンプ６や、処理槽５内に位置するヘッド部１を乾燥させるための送風を行うファン７や、これら循環ポンプ６やファン７を駆動制御する制御部８が設けてある。循環ポンプ６とファン７は、少なくとも一方を設けていればよい。
【００２１】
そして、上記体毛処理装置３のグリップ部２の側面２ａには、凸状の支持部２０を設けている。上記支持部２０には、体毛処理装置３を所定姿勢に保持したときに下方を向く支持面２１が形成してある。また、上記保持装置４において上記体毛処理装置３と対向する面には、凹状の重量支持部２２を設けている。上記重量支持部２２には、上方を向く重量支持面２３が形成してある。上記体毛処理装置３は、グリップ部２の支持部２０を上記保持装置４の重量支持部２２に嵌め込み、支持部２０の支持面２１をこれに対向する重量支持面２３上に載せることで、ヘッド部１を下にした所定姿勢に保持される。
【００２２】
グリップ部２の支持面２１には、体毛処理装置側端子２５を一対配置しており、各体毛処理装置側端子２５をグリップ部２内の制御部１５に接続させている。また、上記保持装置４の重量支持面２３には、体毛処理装置側端子２５に対応する一対の保持装置側端子２６を設けており、各保持装置側端子２６を保持装置４内の制御部８に接続させている。
【００２３】
上記構成の本例の給電システムによれば、体毛処理装置３のグリップ部２の側面２ａに設けた凸状の支持部２０を、保持装置４に設けた凹状の重量支持部２２に嵌合させ、グリップ部２側の支持面２１を保持装置４側の重量支持面２３上に載置した状態にセットすることで、該重量支持面２３で体毛処理装置３の略全重量を受けた状態で該体毛処理装置３を所定姿勢に保持することができる。このとき、支持面２１に配置した体毛処理装置側端子２５と、重量支持面２３上に配置した保持装置側端子２６とは１対１で接触して、給電可能な状態となる。
【００２４】
上記のように体毛処理装置３のグリップ部２を所定姿勢で保持しながら給電可能な状態にセットすると、保持装置４は、体毛処理装置３のヘッド部１に対する洗浄処理および乾燥処理の少なくとも一方を行うとともに、接触する体毛処理装置側端子２５と保持装置側端子２６を介してグリップ部２の電池部１４に充電を行う。このときの体毛処理装置側端子２５と保持装置側端子２６との接触圧は、体毛処理装置３の重量がかかることによって確保される。体毛処理装置側端子２５と保持装置側端子２６には、重量支持面２３で受ける重量の全部がかかるようにしてもよいし、或いは、重量支持面２３で受ける重量の一部がかかるようにしてもよい。また、ヘッド部１は処理槽５内面に当たることなく保持されるので、下に向けたヘッド部１の刃部１２等を保護することができる。
【００２５】
なお、本例の給電システムでは、上記保持装置４に、体毛処理装置側端子２５と保持装置側端子２６が接触するように上記体毛処理装置３を上記保持装置４に対して位置決めするガイド部２８を設けている。上記ガイド部２８は、凹状の重量支持部２２内に形成された略鉛直な面２２ａから成り、この略鉛直な面２２ａが、グリップ部２の支持部２０において所定姿勢にて略鉛直となるように形成された面２０ａに当接することで、上記体毛処理装置３は図中の前後方向Ａに位置決めされる。
【００２６】
次に、本発明の実施形態における第２例の給電システムについて、図２に基づいて説明する。なお、本例の構成のうち上記した第１例と同様の構成については記載を省略し、第１例とは相違する特徴的な構成についてのみ以下に詳述する。
【００２７】
本例においては、体毛処理装置３のグリップ部２の支持部２０を凹状に形成し、保持装置４の重量支持部２２を凸状に形成している。上記構成によっても、体毛処理装置３を所定姿勢にセットしたときに支持部２０の支持面２１は重量支持部２２の重量支持面２３上に載置され、体毛処理装置側端子２５と保持装置側端子２６との接触圧は体毛処理装置３の重量によって確保される。
【００２８】
次に、本発明の実施形態における第３例の給電システムについて、図３に基づいて説明する。なお、本例の構成のうち上記した第１例と同様の構成については記載を省略し、第１例とは相違する特徴的な構成についてのみ以下に詳述する。
【００２９】
本例においては、体毛処理装置３を保持装置４に対して位置決めするガイド部２８として、保持装置４の重量支持部２２を図中の幅方向Ｂにおいて挟む一対の規制片３０を設けている。上記規制片３０間にグリップ部２の凸状の支持部２０が嵌合することで、体毛処理装置３は、体毛処理装置側端子２５と保持装置側端子２６が接触するように幅方向Ｂにおいて位置決めされる。また、上記規制片３０によって、保持装置側端子２６に体毛処理装置３のヘッド部１等が当たって破損することも防止される。
【００３０】
次に、本発明の実施形態における第４例の給電システムについて、図４に基づいて説明する。なお、本例の構成のうち上記した第１例と同様の構成については記載を省略し、第１例とは相違する特徴的な構成についてのみ以下に詳述する。
【００３１】
本例においては、体毛処理装置３を保持装置４に対して前後方向Ａに位置決めするガイド部２８として、更に、重量支持面２３よりも処理槽５側の部分に突条部３２を設けている。上記突条部３２は、体毛処理装置３のグリップ部２の側面２ａにおいて支持面２１よりもヘッド部１側の部分に設けた溝部３３と嵌合するように設けている。
【００３２】
次に、本発明の実施形態における第５例の給電システムについて、図５、図６に基づいて説明する。なお、本例の構成のうち上記した第１例と同様の構成については記載を省略し、第１例とは相違する特徴的な構成についてのみ以下に詳述する。
【００３３】
本例においては、保持装置４の重量支持面２３の位置を、処理槽５に洗浄液Ｌが充填されたときの液面の位置（図中想像線参照）よりも所定距離だけ下方に設けている。これにより、重量支持面２３上の保持装置側端子２６は処理槽５内に配置されることとなって保持装置４全体がコンパクト化されることになる。なお、図６に示すように、体毛処理装置型端子２５と保持装置側端子２６の接触部分の周囲には、体毛処理装置型端子２５と保持装置側端子２６を防水するための防水構造３５を設けている。図示例では防水構造３５として、保持装置側端子２６に嵌合させたゴム製でリング状の下側防水部材３６と、下側防水部材３６に当たるように体毛処理装置側端子２５を囲んで設けた筒状の上側防水部材３７とを用いて、体毛処理装置型端子２５と保持装置側端子２６の周囲を覆っているが、他の構造であってもよい。
【００３４】
次に、本発明の実施形態における第６例の給電システムについて、図７に基づいて説明する。なお、本例の構成のうち上記した第１例と同様の構成については記載を省略し、第１例とは相違する特徴的な構成についてのみ以下に詳述する。
【００３５】
本例においては、体毛処理装置側端子２５を、体毛処理装置３のグリップ部２の左右の肩部分４０に配置している。本例のグリップ部２は、ヘッド部１を接続させる側の端部を該ヘッド部１よりも幅広に設けており、ヘッド部１よりも左右に幅広となって突出した部分が、上記肩部分４０になっている。上記肩部分４０のヘッド部１側を向く面４０ａは、体毛処理装置３を所定姿勢に保持したときに下方を向くようになっており、この平坦な面４０ａが支持面２１となっている。
【００３６】
このように、グリップ部２の肩部分４０においてヘッド部１側を向く面４０ａ上に体毛処理装置側端子２５を配置したことによって、使用者がグリップ部２を把持したときに体毛処理装置側端子２５が手に当たることがなく、違和感を防止することができる。また、手に触れないために体毛処理装置側端子２５が汗等によって腐食することが防止される。
【００３７】
次に、本発明の実施形態における第７例の給電システムについて、図８に基づいて説明する。なお、本例の構成のうち上記した第１例と同様の構成については記載を省略し、第１例とは相違する特徴的な構成についてのみ以下に詳述する。
【００３８】
本例の体毛処理装置３においては、ヘッド部１とグリップ部２の間に所定の隙間を設けるとともに、連結具４５を介して、ヘッド部１をグリップ部２に対して首振り自在に（図中の首振り方向Ｃ参照）接続させている。また、本例の体毛処理装置３においては、グリップ部２のヘッド部１を向く端面２ｂの一部を、支持面２１としている。この支持面２１は、ヘッド部１が基準位置にあるときにはヘッド部１に隠れて露出することがない位置にある。ここでの基準位置とは、図８（ｂ）に示すようにヘッド部１が首振りをすることなく、ヘッド部１とグリップ部２の軸方向が略一致するような位置である。
【００３９】
本例の保持装置４の処理槽５内面には、所定姿勢にセットした体毛処理装置３のヘッド部１に当たって該ヘッド部１を強制的に所定方向に首振りさせる当接部４６が設けてある。上記当接部４６に当たって大きく首振りしたヘッド部１は、グリップ部２の支持面２１および体毛処理装置側端子２５を下方に向けて露出させる。この状態で、支持面２１を保持装置４の重量支持面２３に載置することで、体毛処理装置側端子２５と保持装置側端子２６を十分な接触圧を伴って接続させる。
【００４０】
上記構成によれば、体毛処理装置３を用いて通常の体毛処理作業を行う際には、体毛処理装置側端子２５が露出することは殆どなく、処理後の体毛や皮脂等が体毛処理装置側端子２５に付着して腐食等を生じることが防止される。また、使用者がグリップ部２を把持したときに体毛処理装置側端子２５が手に当たって違和感を覚えることも防止される。
【図面の簡単な説明】
【００４１】
【図１】本発明の実施形態における第１例の給電システムの概略図である。
【図２】本発明の実施形態における第２例の給電システムの概略図である。
【図３】本発明の実施形態における第３例の給電システムの保持装置を示す概略図である。
【図４】本発明の実施形態における第４例の給電システムの概略図である。
【図５】本発明の実施形態における第５例の給電システムの概略図である。
【図６】同上の給電システムに設けた防水構造を示す概略図である。
【図７】本発明の実施形態における第６例の給電システムの概略図である。
【図８】本発明の実施形態における第７例の給電システムの概略図であり、（ａ）はシステム全体、（ｂ）は体毛処理装置のみを示している。
【符号の説明】
【００４２】
１  ヘッド部
２  グリップ部
３  体毛処理装置
４  保持装置
５  処理槽
２３  重量支持面
２５  体毛処理装置側端子
２６  保持装置側端子
２８  ガイド部
３５  防水構造
４０  肩部分
４６  当接部
【図１】
0005096994.tif 000002
【図２】
0005096994.tif 000003
【図３】
0005096994.tif 000004
【図４】
0005096994.tif 000005
【図５】
0005096994.tif 000006
【図６】
0005096994.tif 000007
【図７】
0005096994.tif 000008
【図８】
0005096994.tif 000009